(57)【要約】【課題】複数のメッセージを所望の再生順で登録し、必要に応じて、それを容易に呼び出し再生する。【解決手段】所定のメッセージを導出するためのメニューを表示する表示手段と、前記表示手段に表示されたメニューに対し操作者が選択可能なインターフェイスを提供する選択手段と、複数のメッセージ候補の各メッセージに対応する音声データと、再生リストとを記憶するデータ記憶手段とを備え、前記選択手段により所定のメッセージが選択された状態において、前記表示手段により表示された画面には、該メッセージを前記再生リストに登録するためのプリセット登録ボタンが設けられ、前記プリセット登録ボタンを選択することにより表示される画面には、該選択したメッセージを登録する再生リストの頁番号と再生順番号とを指定するボタンが設けられている。【選択図】図１
2018036983.tif 000002
【特許請求の範囲】
【請求項１】
複数のメッセージ候補から選択された複数のメッセージの音声信号を連続再生するために、前記選択された複数のメッセージを登録可能な再生リストを備え、前記選択された複数のメッセージの音声信号を、それぞれ複数の言語から選択された所定の言語で出力可能な多言語再生装置であって、
所定のメッセージを導出するためのメニューを表示する表示手段と、
前記表示手段に表示されたメニューに対し操作者が選択可能なインターフェイスを提供する選択手段と、
前記複数のメッセージ候補の各メッセージに対応する音声データと、前記再生リストとを記憶するデータ記憶手段とを備え、
前記選択手段により所定のメッセージが選択された状態において、前記表示手段により表示された画面には、該メッセージを前記再生リストに登録するためのプリセット登録ボタンが設けられ、
前記プリセット登録ボタンを選択することにより表示される画面には、該選択したメッセージを登録する再生リストの頁番号と再生順番号とを指定するボタンが設けられていることを特徴とする多言語再生装置。
【請求項２】
前記表示手段により表示されるトップメニューには、プリセットボタンが設けられ、
前記プリセットボタンを選択することにより、前記表示手段は、前記再生リストを再生指示可能な画面を頁毎に表示することを特徴とする請求項１に記載された多言語再生装置。
【請求項３】
前記表示手段に表示された前記再生リストを再生指示可能な画面において、再生リストの中から所定のメッセージを選択することにより表示される画面には、該選択したメッセージの登録を解除するための解除ボタンが設けられていることを特徴とする請求項２に記載された多言語再生装置。
【請求項４】
前記解除ボタンを選択することにより削除されたメッセージが登録されていた再生リストの頁番号と再生順番号とは、次回のメッセージを選択する際に、前記プリセット登録ボタンを選択することにより表示される画面において最優先に設定されることを特徴とする請求項３に記載された多言語再生装置。
【請求項５】
前記選択手段により所定のメッセージが選択された状態において、前記表示手段により表示された画面には、さらに前記複数の言語から所定の言語を選択するためのメニューボタンが設けられることを特徴とする請求項１乃至請求項４に記載された多言語再生装置。
【請求項６】
前記データ記憶手段には、前記複数のメッセージ候補の各メッセージに対応する音声データが、前記複数の言語ごとに記録されていることを特徴とする請求項１乃至請求項５のいずれかに記載された多言語再生装置。
【請求項７】
拡声器一体型の形状であって、前記再生リストに登録された各メッセージは、拡声器のスピーカから再生されることを特徴とする請求項１乃至請求項６のいずれかに記載された多言語再生装置。
【請求項８】
前記拡声器の筐体には天板が設けられ、該天板上に肩掛けベルト装着用の複数のフックが突出して設けられ、前記複数のフックを足として倒立可能であることを特徴とする請求項７に記載された多言語再生装置。
【発明の詳細な説明】
【技術分野】
【０００１】
この発明は、多言語再生装置に関し、例えば非常時において必要なメッセージを複数の言語で繰り返し再生することのできる多言語再生装置に関する。
【背景技術】
【０００２】
従来、オフィスビルや商業施設などの建物において利用される緊急用の放送設備にあっては、建物内に設置された複数のスピーカから緊急放送を行うようになっている。図１１に特許文献１に開示される従来の放送設備（報知システム）の概略構成を示す。図１１に示すように、放送設備２００は、予め記憶されたメッセージを再生する自動アナウンス部２０１と、通報内容を入力するためのマイク２０２と、所定のチャイム音信号を出力するチャイム音発生部２０３とを備える。さらに、前記自動アナウンス部２０１とマイク２０２とチャイム音発生部２０３からの出力を選択または混合するミキサ２０４と、ミキサ２０４から出力された音声信号を増幅するアンプ２０５と、前記アンプ２０５の出力を再生するスピーカ２０６とを備えている。
【０００３】
このような放送設備によれば、自動アナウンス部２０１に予め所定の音声メッセージが記憶されているため、非常時において操作者は慌てることなく必要最低限の内容を報知することができる。さらに、前記所定の音声メッセージに加え、マイク２０２を通して更に必要な内容を通報することができる。
【先行技術文献】
【特許文献】
【０００４】
【特許文献１】特開２００２−１５３９１号公報
【発明の概要】
【発明が解決しようとする課題】
【０００５】
ところで、例えば日本におけるオフィスビルや商業施設などには、日本人に限らず複数の国の人たちが居ることが多く、全ての人に日本語が通じるとは限らない。
そのため、前記のような所定のメッセージを再生する放送設備にあっては、緊急用に限らず、多言語のメッセージに対応可能なシステムが要求されていた。
【０００６】
また、災害発生時など緊急の場合には、そのときの状況に応じた適切なメッセージを素早く呼び出して再生する必要がある。そのため、多種にわたる状況に対応した数多くのメッセージが予め用意されているだけでなく、その中から操作者が容易に適切なメッセージを選択することができるインターフェイスの提供が課題となっていた。
【０００７】
しかしながら、複数のメッセージを連続的に再生したい場合、各メッセージの選択とその再生指示とを手動の操作により繰り返し行うと、各メッセージの再生が連続的ではなく途切れる虞がある上、操作者の作業が煩雑であるという課題があった。
そのため、数多くのメッセージの中から、複数のメッセージを選び出し、それを再生リストに所望の順番で登録ができ、必要なときに、その再生リストをすぐに呼び出して再生できる構成が望まれていた。
【０００８】
尚、特許文献１に記載の報知システムにあっては、緊急事態発生時に自動アナウンス器により避難誘導のための所定のメッセージが再生されることのみが開示され、メッセージを選択する具体的な手段（インターフェイス）については全く記載されていない。また、多言語でのメッセージの放送についても何ら開示されていない。
【０００９】
本発明は、前記したような事情の下になされたものであり、複数のメッセージ候補のリストから選んだ所定のメッセージを所望の言語で再生することのできる多言語再生装置であって、前記所定のメッセージを容易に導出することができ、且つ複数のメッセージを所望の再生順で登録し、必要に応じて、それを容易に呼び出し再生することのできる多言語再生装置を提供することを目的とする。
【課題を解決するための手段】
【００１０】
前記課題を解決するためになされた、本発明に係る多言語再生装置は、複数のメッセージ候補から選択された複数のメッセージの音声信号を連続再生するために、前記選択された複数のメッセージを登録可能な再生リストを備え、前記選択された複数のメッセージの音声信号を、それぞれ複数の言語から選択された所定の言語で出力可能な多言語再生装置であって、所定のメッセージを導出するためのメニューを表示する表示手段と、前記表示手段に表示されたメニューに対し操作者が選択可能なインターフェイスを提供する選択手段と、前記複数のメッセージ候補の各メッセージに対応する音声データと、前記再生リストとを記憶するデータ記憶手段とを備え、前記選択手段により所定のメッセージが選択された状態において、前記表示手段により表示された画面には、該メッセージを前記再生リストに登録するためのプリセット登録ボタンが設けられ、前記プリセット登録ボタンを選択することにより表示される画面には、該選択したメッセージを登録する再生リストの頁番号と再生順番号とを指定するボタンが設けられていることに特徴を有する。
【００１１】
尚、前記表示手段により表示されるトップメニューには、プリセットボタンが設けられ、前記プリセットボタンを選択することにより、前記表示手段は、前記再生リストを再生指示可能な画面を頁毎に表示することが望ましい。
また、前記表示手段に表示された前記再生リストを再生指示可能な画面において、再生リストの中から所定のメッセージを選択することにより表示される画面には、該選択したメッセージの登録を解除するための解除ボタンが設けられていることが望ましい。
また、前記解除ボタンを選択することにより削除されたメッセージが登録されていた再生リストの頁番号と再生順番号とは、次回のメッセージを選択する際に、前記プリセット登録ボタンを選択することにより表示される画面において最優先に設定されることが望ましい。
【００１２】
また、前記選択手段により所定のメッセージが選択された状態において、前記表示手段により表示された画面には、さらに前記複数の言語から所定の言語を選択するためのメニューボタンが設けられることが望ましい。
また、前記データ記憶手段には、前記複数のメッセージ候補の各メッセージに対応する音声データが、前記複数の言語ごとに記録されていることが望ましい。
【００１３】
また、前記多言語再生装置は、拡声器一体型の形状であって、前記再生リストに登録された各メッセージは、拡声器のスピーカから再生されることが望ましい。
その場合、前記拡声器の筐体には天板が設けられ、該天板上に肩掛けベルト装着用の複数のフックが突出して設けられ、前記複数のフックを足として倒立可能であることが望ましい。
【００１４】
このような構成によれば、タッチパネルディスプレイの操作画面に表示されたメニューを選択することにより所定分野のメッセージ候補を容易に導出し、表示された複数のメッセージ候補から所望のメッセージを選択することができる。そして、選択したメッセージを指定した言語で再生するよう再生リストに登録でき、作成した再生リストをプリセットボタンから容易に呼び出すことができる。
したがって、操作者は、必要なときにすぐさま所望の再生リストを呼び出して、そこに登録された複数のメッセージを指定された言語で連続再生することができる。
【発明の効果】
【００１５】
本発明によれば、複数のメッセージ候補のリストから選んだ所定のメッセージを所望の言語で再生することのできる多言語再生装置であって、前記所定のメッセージを容易に導出することができ、且つ複数のメッセージを所望の再生順で登録し、必要に応じて、それを容易に呼び出し再生することのできる多言語再生装置を提供することができる。
【図面の簡単な説明】
【００１６】
【図１】図１は、本発明に係る多言語再生装置の側面図である。
【図２】図２は、図１の多言語再生装置の後方（マイク側）からの斜視図である。
【図３】図３は、図１の多言語再生装置を逆さにして載置した状態を示す斜視図である。
【図４】図４は、図１の多言語再生装置の構成を模式的に示すブロック図である。
【図５】図５は、図１の多言語再生装置に表示される操作画面の表示例である。
【図６】図６は、図１の多言語再生装置に表示される操作画面の他の表示例である。
【図７】図７は、図１の多言語再生装置に表示される操作画面の他の表示例である。
【図８】図８は、図１の多言語再生装置に表示される操作画面の他の表示例である。
【図９】図９は、図１の多言語再生装置に表示されるメニューの階層を模式的に示す図である。
【図１０】図１０は、図１の多言語再生装置における再生リストの登録動作の流れを示すフローである。
【図１１】図１１は、従来の放送設備の構成例を示すブロック図である。
【発明を実施するための形態】
【００１７】
以下、本発明に係る多言語再生装置の実施形態を、図面を参照しながら説明する。図１は、本発明に係る多言語再生装置の側面図、図２は、図１の多言語再生装置の後方（マイク側）からの斜視図、図３は、図１の多言語再生装置を逆さにして（上面を下側にして）載置した状態を示す斜視図である。また、図４は、図１の多言語再生装置の構成を模式的に示すブロック図である。
【００１８】
図１乃至図３に示すように、本実施の形態において、多言語再生装置１は、拡声器（メガホン）一体型である。具体的には、図４に示す制御部３０、データ記憶部２３、タッチパネルディスプレイユニット２２などを収容する筐体２と、筐体２の後端部にカールコード６ａを介して着脱自在に設けられたマイク６と、前端側に向かってラッパ状に形成されたスピーカ７と、全体を支持するためのハンドル８とを有している。
【００１９】
筐体２の上面（天板）には、前記タッチパネルディスプレイユニット２２による操作画面４が設けられ、筐体２の後面側には電源スイッチ３が設けられている。
また、マイク６の一側面にはロータリボリューム９が設けられ、マイク６の他側面にはマイク音声を拡声するためのトークレバースイッチ１０が設けられている。
【００２０】
また、筐体２の天板の四隅付近にはそれぞれ肩掛けベルト（図示せず）を装着するためのフック１１が突出して設けられている。図３に示すように、これら４つのフック１１を足として床面などに安定した状態で載置することができ、操作者がその場を離れてもスピーカ７の向きを所定方向に固定した状態でメッセージの再生を続けることができるように構成されている。
【００２１】
続いて、図１の多言語再生装置１の構成について図４を用いて説明する。図４は、図１の多言語再生装置１の主要部の構成を示すブロック図である。
図４に示すように、多言語再生装置１は、装置内に電源供給するための電源部２１と、操作画面４を形成するタッチパネルディスプレイユニット２２（表示手段、選択手段）と、複数の音声メッセージの音声データ（例えばｍｐ３形式のデジタルデータ）などを記憶するデータ記憶部２３（データ記憶手段）とを有する。
【００２２】
尚、前記タッチパネルディスプレイユニット２２は、好ましくは押圧位置の検出が容易な抵抗膜方式のタッチパネルが採用され、それにより作業中や寒冷地などにおいて厚手の手袋を装着した状態であってもタッチ操作を行うことができる。また、前記データ記憶部２３は、筐体２に内蔵された不揮発性メモリ、或いは挿抜自在な不揮発性メモリ（例えばＳＤカードメモリ）などにより構成することができる。
【００２３】
また、前記多言語再生装置１は、装置全体の動作を制御するための制御部３０を備え、この制御部３０は、演算を行うＣＰＵ３０ａと、操作画面４を介したユーザインタフェースに係るプログラムやデータを記憶するＲＯＭ３０ｂと、プログラムを実行させるメモリ領域のＲＡＭ３０ｃとを有する。
さらに制御部３０は、データ記憶部２３から読み出された音声データをデコードして音声信号に変換する音声デコーダ２４と、音声デコーダ２４から出力された音声信号の音量を調節する音量調整部２６と、音量調整部２６から出力されたデジタル音声信号をアナログ変換してセレクタ１２に出力する出力音声変換部２５とを有する。
【００２４】
前記セレクタ１２の入力には、音量調整部１３によって音量調節されたマイク６の出力も接続されており、トークレバースイッチ１０（例えば引くとマイク６側の信号を選択）によって、セレクタ１２の出力が選択されるようになされている。尚、音量調整部１３は、前記ロータリボリューム９の設定に基づき音量調節するようになっている。
また、セレクタ１２からの出力信号はアンプ１４で増幅され、スピーカ７から再生される構成となっている。
【００２５】
続いて、多言語再生装置１の動作について、図５乃至図８に示す操作画面４の表示例、及び図９に示すメニュー階層図を用い、図１０のフローに沿って説明する。
操作者が多言語再生装置１の電源スイッチ３を押し、電源供給部２１が電源供給を行うと、ＲＯＭ３０ｂに格納されたプログラムがＲＡＭ３０ｂに読み込まれ、ＣＰＵ３０ａにより実行される。
【００２６】
前記プログラムに沿って、先ずツリーメニュー提供手段が機能し、複数階層からなるツリー構造のメニュー項目が操作画面４に表示される。具体的には、初期画面として図５（ａ）に示す最上層のトップメニュー画面（図９の大分類のメニューＭ１）が表示される（図１０のステップＳ１）。図５（ａ）に示すようにトップメニュー画面には、非常メニューボタン３１、通常メニューボタン３２、プリセットメニューボタン３３、番号選択ボタン３６が表示される。
【００２７】
操作者が、このトップメニュー画面から例えば非常メニューボタン３１をタッチ（選択）すると（図１０のステップＳ２）、図５（ｂ）に示す非常放送メニュー（図９の中分類のメニューＭ２）の項目が表示される（図１０のステップＳ３）。図５（ｂ）に示すように非常放送メニューには、自然災害メニューボタン３４、人的災害メニューボタン３５、鉄道系メニューボタン３７、注意喚起メニューボタン３８が表示される。
【００２８】
尚、トップメニュー画面よりも下層の全ての画面においては、画面左上に、前記トップメニュー画面に一気に戻るための先頭戻りボタン３９が常に表示され、画面右上に、１つ前の画面に戻るための戻りボタン４０が表示される。
【００２９】
また、前記非常放送メニューから例えば自然災害メニューボタン３４をタッチ（選択）すると（図１０のステップＳ４）、図６（ａ）に示すような自然災害メニュー画面（図９の小分類メニューＭ３）が表示される（図１０のステップＳ５）。
図６（ａ）に示すように自然災害メニュー画面には、例えば、地震メニューボタン４１、津波メニューボタン４２、台風メニューボタン４３、気象メニューボタン４４、火山噴火メニューボタン４５などが表示される。
【００３０】
さらに、前記自然災害メニュー画面から例えば地震メニューボタン４１をタッチ（選択）すると（図１０のステップＳ６）、実行中のプログラムによりメッセージリスト提供手段が機能し、図６（ａ）に示すように再生メッセージのリスト４７（図９のメニューＭ４）が表示される（図１０のステップＳ７）。
尚、複数の再生メッセージからなるリスト４７は操作画面４の領域内に一度には表示しきれない場合がある。そのため、画面下部には、頁戻りボタン４８、行戻りボタン４９、行送りボタン５０、頁送りボタン５１が設けられ、全ての再生メッセージを画面上下方向にスクロールさせて表示することが可能となっている。
【００３１】
そして、再生メッセージのリスト４７から、所望のメッセージの表示をタッチ（選択）すると（図１０のステップＳ８）、再生指示画面提供手段が機能し、図７（ａ）に示すように再生メッセージの再生／プリセット選択画面が表示される（図１０のステップＳ９）。図７（ａ）に示す例では、リスト中２番目のメッセージが選択された再生／プリセット選択画面が表示されている。この再生／プリセット選択画面には、選択したメッセージを再生開始するための再生ボタン５２、警告音であるサイレンを再生開始するためのサイレンボタン５３が表示される。
【００３２】
さらに、再生するメッセージの言語を選択可能な言語選択メニューボタン５４が表示される。この例では、言語選択メニューボタン５４により、日本語、英語、中国語、韓国語の選択が可能となっており、所望の言語（表示部）をタッチすると、強調表示（例えば白黒反転）により選択状態となるように構成されている（図１０のステップＳ１０）。
尚、この言語選択にあっては、複数の言語を同時に選択状態とすることも可能であり、その場合、メッセージの再生時には、選択した言語で順にメッセージが再生される。
【００３３】
また、図７（ａ）に示すように、この再生／プリセット選択画面の下部には、音量調整ボタン５５，５６が表示され、左向きの矢印で示される音量調整ボタン５５をタッチすると、再生音量が小さくなり、右向きの矢印で示される音量調整ボタン５６をタッチすると再生音量が大きくなるように構成されている。
この操作による出力信号（制御信号）は、図４に示した音量調整部２６での音量調整に用いられる。
【００３４】
更に、図７（ａ）に示すように、再生／プリセット選択画面の上部には、プリセット登録ボタン６０が設けられている。
図７（ａ）の再生／プリセット選択画面において、再生ボタン５２をタッチすれば、その時点で選択中のメッセージが再生されるが（図１０のステップＳ１２）、前記プリセット登録ボタン６０をタッチすると、プリセット登録モードに移行する（図１０のステップＳ１１）。
【００３５】
具体的には、図７（ｂ）に示すようなプリセット登録画面６１が表示される（図１０のステップＳ１３）。このプリセット登録画面６１には、頁戻しボタン６２、番号戻しボタン６３、頁送りボタン６４、番号送りボタン６５が表示され、さらに設定項目を確定するＯＫボタン６６、プリセット登録をキャンセルするキャンセルボタン６７が表示される。プリセット登録は、頁単位で行うことができ、各頁において複数のメッセージを登録すること（再生リストの作成）が可能となっている。
【００３６】
プリセット登録画面６１においては、図７（ｂ）に示すように番号戻しボタン６３と頁送りボタン６４との間に、登録指定する頁と登録指定する番号とが表示される。図示する例（０２−３という表示）では、頁２の３番目に、選択中のメッセージを登録することが可能となっている。登録指定する頁番号、或いは各頁における登録順を変更する場合には、前記頁戻しボタン６２、番号戻しボタン６３、頁送りボタン６４、番号送りボタン６５をタッチして操作すればよく、それにより前記登録指定先の表示（０２−３という表示）が変更される。
尚、この頁と番号の指定先において、すでにメッセージが登録してある場合には、新たに指定したメッセージが上書きされる。
【００３７】
図７（ｂ）のプリセット登録ウインドウ６１においてＯＫボタン６６をタッチすると、図８に例示するように頁２の再生リストの３番目にメッセージが登録され（メッセージ内容及び音声データの記憶位置情報（メモリアドレス）が、制御部３０が有するＲＯＭの所定位置に記憶される）、図７（ａ）の再生／プリセット選択画面に戻る。ここで、先頭戻りボタン３９をタッチして先頭頁に戻るか、或いは、戻りボタン４０をタッチして図６（ｂ）のメッセージリスト画面に戻ることにより（図１０のステップＳ１４）、繰り返し、プリセット登録作業を行うことができる。即ち、予め複数のメッセージの再生順を登録した再生リストを作成することができる。
【００３８】
尚、作成した再生リストの呼び出し再生は、図５（ａ）に示したトップメニュー画面から、プリセットメニューボタン３３を押すことにより、図８（ａ）に示したような再生リスト画面（再生リストを再生指示可能な画面）の１頁目が表示される（図８（ａ）は２頁目）。
図８（ａ）に示す再生リスト画面は、中央に再生するメッセージのリストが表示され、その上部に、表示中の再生リストを繰り返し再生するための連続再生ボタン６８と、戻りボタン４０とが表示される。また、下部には、頁戻りボタン６９と頁送りボタン７０とが表示されている。操作者は、この頁戻りボタン６９及び頁送りボタン７０をタッチ操作することにより所望の再生リストを容易に呼び出すことができる。
【００３９】
また、作成した再生リストの呼び出し再生（再生リストを再生指示可能な画面の呼び出し）は、図５（ａ）に示したトップメニュー画面から、番号選択ボタン３６をタッチし、頁番号を直接入力することによっても容易に行うことができる。
【００４０】
また、図８（ａ）に示す再生リスト画面において、中央に表示された再生メッセージのリストから削除したいメッセージがある場合、そのメッセージをタッチ（選択）する。それにより図８（ｂ）に示すプリセット解除画面が表示され、上部に設けられたプリセット解除ボタン７１をタッチして選択すれば、前記再生リストから削除される。
尚、この状態から、新たにメッセージの選択を行い、図７（ａ）に示したようにプリセット登録ボタン６０をタッチすると、次に表示されるプリセット登録画面６１では、前記削除した頁と再生順番号とが最優先に登録指定（設定）されるようになっている。これにより、前記再生リストから削除した番号の位置に、すぐさま他のメッセージを登録することができ、その場の状況に応じて臨機応変に対応することができる。
【００４１】
個別に選択したメッセージ、或いは呼び出した再生リストの再生は、選択（呼び出し）後、以下のようにして行われる。
図７（ａ）の画面中の再生ボタン５２、或いは図８（ａ）の画面中の連続再生ボタン６８がタッチされると、ＣＰＵ３０ａはデータ記憶部２３から選択されたメッセージの選択言語毎の音声データをＲＡＭ３０ｂに読み出す。
前記読み出された音声データは、音声デコーダ２４において音声信号に変換されて音量調整部２６に出力され、音量調整部２６において所定の音量に調整されて出力音声変換部２５に供給される。
【００４２】
出力音声変換部２５においては、入力されたデジタル音声信号がアナログ変換され、セレクタ６１に出力される。尚、前記ＲＡＭ３０ｂに置かれた前記音声データは、ＣＰＵ３０ａにより実行されるプログラムにより音声信号として前記セレクタ６１に連続して繰り返し出力される。
そして、トークレバースイッチ１０が押されない状態において、前記選択された音声メッセージは図４のアンプ１４を介してスピーカ７から繰り返し再生される。
【００４３】
以上のように本発明に係る多言語再生装置１の実施の形態によれば、タッチパネルの操作画面４に表示されたツリー構造のメニューを順次選択することにより所定分野のメッセージ候補のリストが容易に導出され、表示された複数のメッセージ候補のリストから所望のメッセージを選択することができる。そして、選択したメッセージを指定した言語で再生するよう再生リストに登録でき、作成した再生リストをプリセットボタンから容易に呼び出すことができる。
したがって、操作者は、必要なときにすぐさま所望の再生リストを呼び出して、そこに登録された複数のメッセージを指定された言語で連続再生することができる。
【００４４】
尚、前記実施の形態にあっては、多言語再生装置１を拡声器一体型の形状として説明したが、本発明にあっては、その形態に限定されるものではない。
例えば、ビルや宿泊施設などの館内放送用に据え置き型の形状として提供されても良い。
【符号の説明】
【００４５】
１        多言語再生装置
２        筐体
３        電源スイッチ
４        操作画面
６        マイク
７        スピーカ
８        ハンドル
９        ロータリーボリューム
１０      トークレバー
１１      フック
１２      セレクタ
１３      音量調整部
１４      アンプ
２１      電源部
２２      タッチパネルディスプレイユニット
２３      データ記憶部
２４      音声デコーダ
２５      出力音声変換部
２６      音量調整部
３０ａ    ＣＰＵ
３０ｂ    ＲＯＭ
３０ｃ    ＲＡＭ
【図１】
2018036983.tif 000003
【図２】
2018036983.tif 000004
【図３】
2018036983.tif 000005
【図４】
2018036983.tif 000006
【図５】
2018036983.tif 000007
【図６】
2018036983.tif 000008
【図７】
2018036983.tif 000009
【図８】
2018036983.tif 000010
【図９】
2018036983.tif 000011
【図１０】
2018036983.tif 000012
【図１１】
2018036983.tif 000013